(57)【要約】【課題】  スクリーン等の照射面上に光による自然に近い変化をもたせた装飾模様を出現できる特殊照明効果を有する照明装置を提供する。【解決手段】  上部前面に開口部１１を有する遮光性のケース本体１２と、前記ケース本体１２の開口部１１に脱着可能に配設された光透過性のカラーフィルタ１４と、前記ケース本体１２の下部に一体に設けられたランプハウス１５に光の前後方向の照射角度を調整自在とした調整枠板２９に取り付けられ、かつ光の左右方向の照射角度を調整自在としたランプホルダ３０に交換可能に配設されたランプ１６と、前記ランプ１６の照射光を反射して前記上部前面の開口部１１より前記カラーフィルタ１４を透過して任意形状に輝光する光のパターンに変換して照射面に照射する同芯状に配設され互いに正，逆回転可能な少なくとも大小２枚の反射板２０，２１と、前記反射板２０，２１をギヤ機構２２，２５，２７ａ，２８ａを介して回転駆動するモータ１８及びモータ回転速度の制御部１９を備えた構成とした。【選択図】  図１
2005327668.tif 000002
【特許請求の範囲】
【請求項１】
上部前面に開口部を有する遮光性のケース本体と、前記ケース本体の下部に一体に設けられたランプハウスに光の前後方向の照射角度を調整自在とした調整枠板に取り付けられ、かつ光の左右方向の照射角度を調整自在としたランプホルダに交換可能に配設されたランプと、前記ランプの照射光を反射して前記上部前面の開口部より任意形状に輝光する光のパターンに変換して照射面に照射する同芯状に配設され互いに正，逆回転可能な少なくとも大小２枚の反射板と、前記反射板の回転をギヤ機構によって駆動するモータ及びモータ回転速度制御部を備えることを特徴とする特殊効果を有する照明装置。
【請求項２】
前記上部前面の開口部は矩形状に開口され、該開口の上下，左右の各周縁には、それぞれ前記開口部からの反射光の照射領域を調節し、かつ前記反射板からの反射光の拡散を規制する射光調節板を設けたことを特徴とする請求項１記載の特殊効果を有する照明装置。
【請求項３】
前記調整枠板は、前記ケース本体のランプハウス外面に突出させた調整ハンドルによって回動可能なギヤ機構を介して光の前後方向の照射角度を調整自在としたことを特徴とする請求項１又は２に記載の特殊効果を有する照明装置。
【請求項４】
前記反射板は、大小２枚の反射板からなり、前記小反射板はモータの出力軸に固定した正回転ギヤと共に回動するように装着され、前記大反射板は前記出力軸に対し回動可能に遊嵌合された逆回転ギヤが固定された回転軸と共に回動するように装着され、前記正回転ギヤと噛合する第１中間ギヤと、前記第１中間ギヤと噛合して前記逆回転ギヤに回転を伝達する第２中間ギヤによって、前記各反射板が互いに正，逆回転するようにしたことを特徴とする請求項１〜３のいずれか１つに記載の特殊効果を有する照明装置。
【請求項５】
前記大小の反射板の表面には鏡面仕上げが施されると共に、外方に向けて放射状に凹凸反射面が形成されていることを特徴とする請求項１〜４のいずれか１つに記載の特殊効果を有する照明装置。
【請求項６】
前記大小の反射板の表面には鏡面仕上げが施されると共に、それぞれ異なった凹凸反射面が形成されていることを特徴とする請求項１〜４のいずれか１つに記載の特殊効果を有する照明装置。
【請求項７】
前記ケース本体の開口部の左右縁部及び下縁部には、断面コ字状のカラーフィルタ装着用の装着部を有し、該装着部に所望のフィルタ色を有する光透過性のカラーフィルタ脱着可能に配設するようにしたことを特徴とする請求項１〜６のいずれか１つに記載の特殊効果を有する照明装置。
【請求項８】
前記ランプハウスには開閉可能な開閉蓋が設けられると共に、開閉蓋の内部に前記ランプへの電力供給用のコード接続部分を覆う感電防止用の保護板が設けられていることを特徴とする請求項１〜７のいずれか１つに記載の特殊効果を有する照明装置。
【請求項９】
前記ランプからの光の左右方向の照射角度を調整自在としたランプホルダの前面に円筒状の光漏れ防止部材を配設したことを特徴とする請求項１〜８のいずれか１つに記載の特殊効果を有する照明装置。
【発明の詳細な説明】
【技術分野】
【０００１】
本発明は、舞台，スタジオ等における背景スクリーンなどの照射面に、海・さざなみ・荒海等の水や自然のイメージをテーマとしたもの、或いは炎などのようなその他の効果又は特殊効果等によるテーマとした変化にとんだ照明効果を発揮させるようにした照明装置に係り、特に照明器具本体に同芯上で互いに正，逆回転する複数枚の反射板（種板）を配置し、スクリーン等の照射面上に光による自然に近い変化をもたせた装飾模様を出現できる特殊照明効果を有する照明装置に関するものである。
【背景技術】
【０００２】
従来の装飾用照明装置は、一方に透光開口を備えた器具本体の内部にソケットを取り付け、そのソケットに装着したランプの前面側である透光開口側に、器具本体に固定された装飾パターン板を配設して、ランプからの光を装飾パターン板に投光させると共に、その光を装飾パターン板に透過させて、照射面上に光の模様である装飾模様を形成させるようにしている。
従って、このような照明装置にあっては、照射面上に形成される装飾模様は、装飾パターン板を透過した光により一定の変化しない装飾模様が形成される。
また、変化する照明効果を有する装飾照明装置としては、上部に空間を残して非腐食性の透明な液体を充填した薄い皿状の透明な容器からなる波・泡発生器と、該波・泡発生器の透明な液体内に空気を送給しうるエアーブロー装置と、波・泡発生器に光線を照射し得る照明器具とからなる変化する照明効果を有する装飾照明装置が提供されている。（例えば特許文献１参照）。
【特許文献１】特開平１０−１３４６０９号公報
【発明の開示】
【発明が解決しようとする課題】
【０００３】
しかるに、上述のような前者の装飾照明装置にあっては、照射面上に形成できる装飾模様は変化のない一定パターンの模様しか形成できない。そこで、装飾模様を変化させるものとして、後者のような透明な液体を充填した薄い皿状の透明な容器からなる波・泡発生器を用い、該発生器に、エアーブロー装置を用いて空気を送給して照射面上の装飾模様を変化させているが、構成が複雑で大型とならざるを得ず装置全体の移動設置には時間を要すると共に、照射面上に形成される装飾模様も変化に乏しいものになっており、スクリーンなどの照射面上で要求する演出効果を満足させる複雑な照射パターン変化を得ることは困難となっている。
さらに、従来の照明装置は光源よりの光を種板（反射板）に当てて照射面（スクリーン等）に投光する際、オブジェクティブレンズ（集光又は拡散レンズ）等を介して投光するため、像が明確に映し出される投光距離が数メートル必要となって至近距離で用いることが困難となっている。
【０００４】
本発明は、上記のような点に鑑みなされたもので、前記従来のようなオブジェクティブレンズをなくした構成とすることで、至近距離でも十分に像が明確に映し出されると共に、設置移動が容易となるようにコンパクトに形成したケース本体内にランプハウス及びランプからの光を反射する反射板を収納した構成とし、さらに、前記ランプの反射板（種板）に照射するランプの照射光の角度を任意に変更できるようにすると共に、前記反射板は大小複数の反射板を使用し、複数の反射板を同芯上に配設して互いに正，逆回転させることで、スクリーン等の照射面上に変化にとんだ任意の照射パターンに変換した自然に近い変化をもたせた特殊な装飾模様の照明装置を提供することを目的とする。
【０００５】
さらにまた、前記反射板の前面には脱着可能なカラーフィルタの装着部を備え、所望により異なる色のカラーフィルタを装着可能とし、変化に飛んだ演出効果発揮させることができるようにした特殊な装飾模様の照明装置を提供することを目的とする。
【課題を解決するための手段】
【０００６】
上記目的を達成するために、本発明の特殊効果を有する照明装置は、上部前面に開口部を有する遮光性のケース本体と、前記ケース本体の下部に一体に設けられたランプハウスに光の前後方向の照射角度を調整自在とした調整枠板に取り付けられ、かつ光の左右方向の照射角度を調整自在としたランプホルダに交換可能に配設されたランプと、前記ランプの照射光を反射して前記上部前面の開口部より任意形状に輝光する光のパターンに変換して照射面に照射する同芯状に配設され互いに正，逆回転可能な少なくとも大小２枚の反射板と、前記反射板の回転をギヤ機構によって駆動するモータ及びモータ回転速度制御部を備えることを特徴とする。
【０００７】
また、請求項２の発明は、請求項１記載の特殊効果を有する照明装置において、前記上部前面の開口部は矩形状に開口され、該開口の上下，左右の各周縁には、それぞれ前記開口部からの反射光の照射領域を調節し、かつ前記反射板からの反射光の拡散を規制する射光調節板を設けたことを特徴とする。
【０００８】
また、請求項３の発明は、請求項１又は２に記載の特殊効果を有する照明装置において、前記調整枠板は、前記ケース本体のランプハウス外面に突出させた調整ハンドルによって回動可能なギヤ機構を介して光の前後方向の照射角度を調整自在としたことを特徴とする。
【０００９】
また、請求項４の発明は、請求項１〜３のいずれか１つに記載の特殊効果を有する照明装置において、前記反射板は、大小２枚の反射板からなり、前記小反射板はモータの出力軸に固定した正回転ギヤと共に回動するように装着され、前記大反射板は前記出力軸に対し回動可能に遊嵌合された逆回転ギヤが固定された回転軸と共に回動するように装着され、前記正回転ギヤと噛合する第１中間ギヤと、前記第１中間ギヤと噛合して前記逆回転ギヤに回転を伝達する第２中間ギヤによって、前記各反射板が互いに正，逆回転するようにしたことを特徴とする。
【００１０】
また、請求項５の発明は、請求項１〜４のいずれか１つに記載の特殊効果を有する照明装置において、前記大小の反射板の表面には鏡面仕上げが施されると共に、外方に向けて放射状に凹凸反射面が形成されていることを特徴とする。
【００１１】
また、請求項６の発明は、請求項１〜５のいずれか１つに記載の特殊効果を有する照明装置において、前記大小の反射板の表面には鏡面仕上げが施されると共に、それぞれ異なった凹凸反射面が形成されていることを特徴とする。
【００１２】
また、請求項７の発明は、請求項１〜６のいずれか１つに記載の特殊効果を有する照明装置において、前記ケース本体の開口部の左右縁部及び下縁部には、断面コ字状のカラーフィルタ装着用の装着部を有し、該装着部に所望のフィルタ色を有する光透過性のカラーフィルタを脱着可能に配設するようにしたことを特徴とする。
【００１３】
また、請求項８の発明は、請求項１〜７のいずれか１つに記載の特殊効果を有する照明装置において、前記ランプハウスには開閉可能な開閉蓋が設けられると共に、開閉蓋の内部に前記ランプへの電力供給用のコード接続部分を覆う感電防止用の保護板が設けられていることを特徴とする。
【００１４】
また、請求項９の発明は、請求項１〜８のいずれか１つに記載の特殊効果を有する照明装置において、前記ランプからの光の左右方向の照射角度を調整自在としたランプホルダの前面に円筒状の光漏れ防止部材を配設したことを特徴とする。
【発明の効果】
【００１５】
本発明の照明装置においては、光源であるランプから発する光がケース本体の上部内面に配設された装飾用光パターン生成用である相互に正，逆回転する回転速度可変の大小の反射板の表面に照射されて、この反射板によって反射された照明光がスクリーン等の照明面へ出射される。これにより、例えば反射面の異なった形状の大小の反射板を所望により容易に交換したり、該反射板の回転スピードを変換させることで、ランプからの光を、従来のエフェクトでは得られなかった複雑な動きや模様として、さざなみ，荒波，渦潮などの水をテーマとした照明表現、或いは炎等をイメージした照明表現に輝光する光のパターンに変換して照射面に投光できるため、照明の演出効果が更に向上し、照明装置自体の意匠性及び審美性をより向上させることができる。
【００１６】
また、本発明の照明装置は光源よりの光を種板（反射板）に当てて照射面（スクリーン等）に投光する際、従来のようにオブジェクティブレンズ（集光又は拡散レンズ）等を介して投光する構成とはなっておらず、像が明確に映し出される投光距離を長く設定する必要がなく、至近距離でも十分に像を明確に映し出すことができる効果がある。
【００１７】
また、前記ケース本体の上部前面の開口部の縁周囲には、前記開口部からの反射光の照射領域を調節し、かつ前記反射板からの反射光の拡散を規制する射光調節板を設けたことで、ランプからの光漏れ或いは反射光の外部への光漏れを制限することができ、照射光の拡散を防止することができる。
【００１８】
さらに、本発明における特殊効果を有する照明装置は、前記ケース本体の開口部の左右縁部及び下縁部に断面コ字状のカラーフィルタ装着用の装着部を設け、該装着部に所望のフィルタ色を有する光透過性のカラーフィルタ脱着可能に配設できるようにしたので、前記装着部に装着するカラーフィルタのフィルタ色を変化させることにより、フィルタを透過する光の色を可変できるため、スクリーン等の照射面に照射する照明光を一段と演出効果のあるものとすることができる。
【００１９】
さらにまた、前記照明装置をケース本体にランプハウスを含めて一体で構成したので、従来のように大型となることがなく軽量で、小型に設計可能であるため狭いスペースでも横置き或いは吊り下げなどの携帯移動によるセッティングが可能であり、装置全体を安価に製造ができる効果がある。
【発明を実施するための最良の形態】
【００２０】
本実施例における最良の形態では、ランプからの光を任意形状の光のパターンに変換して複雑な模様を照射面に表示するという目的を達成するために、ケース本体の開口部に光透過性カラーフィルタを配置し、ランプからの光を装飾照射光パターンに生成する反射面を構成する２枚の大小の反射板で反射させると共に、該反射光をカラーフィルタを透過させて進行させて照明面へ出射することにより、ランプからの光を任意形状に輝光する装飾照射光パターンに変換してスクリーンなどの照明面に表示する。
【実施例１】
【００２１】
次に、本発明の特殊照明効果を有する照明装置の実施例１について、図１〜図９を参照して説明する。
図１は本発明の実施例１における照明装置全体の構成を示す斜視図、図２は同じく側面図、図３は同じく背面図、図４は本実施例１におけるランプ取付部を示す説明用斜視図、図５は図４のランプ取付部のランプを取り除いて示す要部拡大正面図、図６は図５の平面図、図７は本実施例１における反射板の取付部を示す要部拡大側面図、図８は図６の矢印A方向より見た反射板を取り除いたギヤ機構の配列状態を示す要部拡大断面図、図９は本実施例１における照明装置に適用される大小の反射板を拡大して示す説明図である。
【００２２】
図１において、特殊照明効果を有する照明装置１０（以下照明装置という）は、上部前面に開口部１１を有する遮光金属性のケース本体１２と、前記ケース本体１２に形成した矩形状の開口部１１の左，右部及び下部の外周縁に形成したコ字状の装着部１３に脱着可能に配設された光透過性のカラーフィルタ１４と、前記ケース本体１２の下部にほぼL字状に折り曲げ形成されたランプハウス１５とを有し、該ランプハウス１５は蝶番により上端部が連結されて開閉可能に装着されたランプ１６交換用開閉蓋１５ａを備えている。
また、前記開口部１１の上下，左右の外周縁部には、それぞれ独立に可動する４枚の射光調節板１７が蝶番により固定されており、前記開口部からの反射光の照射領域を調節し、かつ前記反射板からの反射光の拡散を規制するようになっている。
【００２３】
さらに、前記ケース本体１２の背面板１２ａ外側には、モータ１８及びモータをＤＭＸ制御する制御部１９が外付けで固定されている。ここで使用するモータ１８は、ＤＭＸ制御が可能となる種類のモータで、ステッピングモ−タが相当する。
また、本発明は交流及び直流制御によるモータも使用可能である。その際の制御はＤＭＸ制御ではなく、従来のように交流又は直流の出力電圧を制御し、回転速度を可変する方式の制御方式を採用するシステムのものでも使用できる。
また、前記ケース本体１２の背面板１２ａ内側に突出する前記モータ１８の出力軸１８ａには、大小２枚の反射板（種板）２０，２１が配設されるようになっている。
【００２４】
前記大小２枚の反射板２０，２１は、それぞれ同芯状に配設されるもので、モータ１８の出力軸１８ａの基端部には正回転ギヤ２２が固定されると共に、先端部には取付座２３が固定され、該取付座２３に小反射板２１が着脱可能に装着されている。また、前記出力軸１８ａに対し回動可能に嵌合された中空の回転軸２４が前記正回転ギヤ２２と取付座２３間に配設されており、該回転軸２４の基端部には前記正回転ギヤ２２より小径の逆回転ギヤ２５が固定され、先端部には取付座２６が固定され、該取付座２６に前記小反射板２１の径よりほぼ１／３程度の大径とした大反射板２０が着脱可能に装着されている。
前記各反射板２０，２１の直径は、大反射板２０がほぼ１０〜１５cm，小反射板２１がほぼ３〜５cmであり、大，小反射板２０，２１の直径比はほぼ１／３が好ましい。
【００２５】
また、図８によく示されるように、前記出力軸１８ａの近傍に設けた固定軸２７ａ，２８ａには、前記正回転ギヤ２２と噛み合う第１中間ギヤ２７と、前記第１中間ギヤ２７と噛み合い前記逆回転ギヤ２５に回転を伝達する第２中間ギヤ２８が軸受けを介して回動可能に取り付けられており、前記モータ１８の出力軸１８ａの正回転（時計方向回転）を小反射板２１が固定された正回転ギヤ２２に伝達し、この正回転ギヤ２２の回転が第１中間ギヤ２７を介して第２中間ギヤ２８に伝達され、前記回転軸２４に固定された逆回転ギヤ２５に伝達して矢印に示すように前記大反射板２０を小反射板２１の回転方向と逆回転（時計方向回転）するようにしている。そして、前記正回転ギヤ２２と噛合する第１中間ギヤ２７と、前記第１中間ギヤ２７と噛合して前記逆回転ギヤ２５に回転を伝達する第２中間ギヤ２８によって、前記各反射板２０，２１が互いに正，逆回転するようになっている。
【００２６】
なお、前記各反射板２０，２１は、特に材質については金属或いはプラスチックに特定しないが、好ましくは円形の鏡面仕上げされたアルミ板からなる円盤形状とし、円盤中心部より放射状に凹凸を形成したり、不規則な凹凸皺模様を施して形成されたものが好ましい。また、前記各反射板２０，２１の外形形状は必ずしも円形である必要がなく円形に近い楕円形状，３〜８角形の多角形形状であってもよい。
【００２７】
前記ランプ１６は、ＡＣ１００Ｖのシールドビーム球が２個並列して使用される。そして、前記各ランプ１６は、矩形状の調整枠板２９の枠内に併設された一対のランプホルダ３０，３０に装着され、前記ランプホルダ３０，３０に設けた弾性を有する保持部材３２，３２によって交換可能に保持されるようになっている。前記矩形状の調整枠板２９は、外面に固定されたギヤ２９ａを有し、前記ランプハウス１５の外面に突出した前記調整枠板２９の姿勢を制御する調整ハンドル３３に設けた角度調整ギヤ３３ａと噛み合うようになっており、前記調整枠板２９の前後方向への姿勢角度の調整を可能としている。
【００２８】
また、前記実施例では前記ランプ１６は、ＡＣ１００Ｖシールドビーム球を使用した例について説明したが、これに代えて、ハロゲンランプ，放電灯ランプにも置き換えることが可能であり、異なった照明効果を得ることができる。
さらに、前記ランプ１６の取り付けられたランプホルダ３０，３０は、それぞれ独立して左右方向への角度が調整可能となっている。即ち、前記ランプホルダ３０，３０は左右方向の中心部が前記調整枠板２９の上板２９ｂ及び下板２９ｃに枢支ピン３４，３４によってそれぞれ枢支されると共に、調整枠板２９の左，右側板２９ｄ，２９ｅに近接した端部が締付けねじ３５，３５によってそれぞれ保持固定されるようになっている。
【００２９】
従って、前記ランプホルダ３０，３０を左右方向に調整する場合は、前記各締付けねじ３５，３５を緩めて、前記枢支ピン３０を中心にして左右方向に遥動させてランプ１６の光を大小の反射板２０，２１の所望位置に収束させることが可能となる。
【００３０】
また、前記ランプハウス１５には開閉可能な開閉蓋１５ａが設けられると共に、開閉蓋１５ａの内部には前記ランプ１６，１６への電力供給用のコード接続部分を覆う感電防止用の保護板３６が設けられている。
さらに、前記ケース本体１２の背面板１２ａ外側に配設された前記制御部１９には、照明装置１０の前記ランプ１６の点灯制御するスイッチ３７と、大小の反射板２０，２１の回転速度を制御する操作つまみ３８、モータへの電力供給用接続部１９ａおよび開閉スイッチ１９ｂとが設けられている。
【００３１】
また、前記ケース本体１２の両側面板のほぼ中央には、コ字状の吊り下げアーム３９を回動自在に枢支する取付部４０が設けられている。そして前記アーム３９の両先端は夫々固定ハンドル４１によって固着されており、照明装置全体の取り付け角度位置が固定ハンドル４１を緩めることで変更が可能となっており、反射光の照射方向を調整できるようになっている。なお、４２はケース本体１２及びランプハウス１５に形成した放熱用開口部を示す。
【００３２】
次に、上記のように構成された本発明の実施例１に示す特殊照明効果を有する照明装置の動作について説明する。
一般的な使用においては、照明装置１０のケース本体１２の上部前面の開口部１１の上下，左右の外周縁部に設けた射光調節板１７を所定の角度位置に開き、背面板１２ａの内側（正面側）に突出したモータ１８の出力軸１８ａの基端部に正回転ギヤ２２を固着し、次に、基端部に逆回転ギヤ２５を外周に固着した中空回転軸２４を前記出力軸１８ａに嵌合し、中空回転軸２４の先端部に取付座２６を介して大反射板２０を固着する。さらに前記取付座２６の先端側に突出した前記出力軸１８ａの先端部に取付座２３を固着して、この取付座２３に小反射板２１を固着する。しかる後、前記開口部１１に形成したコ字状の装着部１３に照射面が必要とするカラーフィルタ１４を装着する。
【００３３】
さらに、前記ランプハウス１５の開閉蓋１５ａを開いて、調整枠板２９に保持されたランプホルダ３０の締付けねじ３５を緩め、前記枢支ピン３４を中心にして左右方向に移動してランプ１６の光を大小の反射板２０，２１の所望位置に収束させる位置決めを行って、再度前記締付けねじ３５を締め付けてランプホルダ３０を固定した後に前記開閉蓋１５ａを閉じる。
【００３４】
次に、ランプハウス１５の側面に突設した調整ハンドル３３を回動して前記調整枠板２９を前後方向の姿勢角度の傾き、即ちランプ１５の照射角度位置を所望位置に調整する。
前記調整の完了した照明装置１０は、前記吊り下げアーム３９を介してスタジオ等の天井に懸架されたバトンに固定金具（図示せず）を介して固定セットする。
【００３５】
なお、本発明の照明装置１０は所望によってはケース本体１１のランプハウス１５を床面に載置して、吊り下げアーム３９を回動して支持部として利用する床置き方式に利用することも勿論可能である。
【００３６】
かかる状態の照明装置１０を開閉スイッチの操作により点灯し、同時にモータ１８の回転速度を所望の回転速度に定めて駆動することで、大小の反射板２０，２１がそれぞれ互いに正，逆方向に回転させる。即ち小反射板２１と大反射板２０はモータ１８の出力軸より第１，第２中間ギヤ２７，２８を介して小反射板２１と大反射板２０の回転方向が互いに逆方向に回転（小反射板２１が正回転すると大反射板２０は逆回転）する。
【００３７】
この回転している大・小反射板２０，２１にランプ１６からの光を各反射板の凹凸表面２０ａ，２１ａで反射し、この反射光をケース本体１２の前面開口部１１のカラーフィルタ１４を透過させて至近距離に設置したスクリーン等の照射面に照射して、さざなみ，荒波などの水をテーマとした照明表現、或いは炎等をイメージした照明表現（ともに自然をイメージしたテーマ）に輝光する光のパターンに変換して照射面に投光することで照明の演出効果を向上させ、照明装置自体の意匠性及び審美性をより向上させることができる。
【実施例２】
【００３８】
次に、図１０、図１１により本発明の実施例２について説明する。
図１０は本実施例２における特殊照明効果を有する照明装置の全体斜視図で、図１１はランプハウスに配設される調整枠体及びランプホルダを示す平面図である。
この図１０，図１１における照明装置１０は、前述の実施例１とほぼ同様の構成であるが、異なる点は、ランプ１６から出る光がケース本体１２の前面開口部より漏れて拡散することを防止するために、ランプホルダ３０，３０の前面に中空円筒状の光漏れ防止部材４３を設けたものである。
その他の構成は、前記第１実施例と同一であるので、同一部分は、同一符号を付してその説明を省略する。
【００３９】
このような実施例２に示す照明装置１０においても上記実施例１と同様な作用効果が得られると共に、ランプホルダ３０，３０に装着したランプ１６，１６の光がケース本体１２の前面開口部１１より漏れて拡散することがなく、照射面に投光できる照明の演出効果を更に向上させることができるという効果がある。
【００４０】
なお、前記実施例にあっては、反射板を大小２枚の反射板２０，２１を用いる点について説明したが、これに限定されることなくモータ１８からの出力軸１８ａに嵌合する回転軸２４にさらに軸心を同じにした他の嵌合する回転軸を組み合わせ、かつ中間ギヤを増やすことで、複数の正，逆回転可能な大，中，小など２つ以上の複数の反射板を配設することも可能であり、より複雑な照明が期待できる。また、前記モータの回転速度制御は手動操作によって操作するようにしたが、遠隔操作によって制御できるようにすることも制御回路を付加することで勿論可能である。
【００４１】
さらにまた、前記実施例においては、前記ケース本体の開口部に脱着可能に配設された光透過性のカラーフィルタ１４を設けた構成としたが、このカラーフィルタ１４は所望の演出効果を出現させるための手段として役割をはたすもので、絶対的に必要であるということはなく、カラーフィルタ１４を装着しないで使用することもあることは勿論である。
【図面の簡単な説明】
【００４２】
【図１】図１は本発明の実施例１における照明装置全体の構成を示す斜視図、
【図２】図２は同じく側面図、
【図３】図３は同じく背面図、
【図４】図４は本実施例１におけるランプ取付部を示す説明用斜視図、
【図５】図５は図４のランプ取付部のランプを取り除いて示す要部拡大正面図、
【図６】図６は図５の平面図、
【図７】図７は本実施例１における反射板の取付部を示す要部拡大側面図、
【図８】図８は図６の矢印A方向より見た反射板を取り除いたギヤ機構の配列状態を示す要部拡大断面図、
【図９】図９は本実施例１における照明装置に適用される大小の反射板を拡大して示す説明図、
【図１０】図１０は本実施例２における特殊照明効果を有する照明装置の全体斜視図、
【図１１】図１１はランプハウスに配設される調整枠体及びランプホルダを示す平面図である。
【符号の説明】
【００４３】
１０  特殊照明効果を有する照明装置（照明装置）
１１  開口部
１２  ケース本体
１２ａ背面板
１３  装着部
１４  カラーフィルタ
１５  ランプハウス
１５ａ  開閉蓋
１６  ランプ
１７  射光調節板
１８  モータ
１８ａ出力軸
１９  制御部
２０  大反射板（種板）
２１  小反射板（種板）
２２  正回転ギヤ
２３  取付座
２４  回転軸
２５  逆回転ギヤ
２６  取付座
２７  第１中間ギヤ
２８  第２中間ギヤ
２９  調整枠板
３０  ランプホルダ
３１  耐熱硝子板（ソケット）
３２  弾性保持部材
３３  調整ハンドル
３４  枢支ピン
３５  締付けねじ
３６  感電防止用の保護板
３７  開閉一致スイッチ
３８  操作つまみ
３９  吊り下げアーム
４０  取付部
４１  固定ハンドル
４３  中空円筒状の光漏れ防止部材
【図１】
2005327668.tif 000003
【図２】
2005327668.tif 000004
【図３】
2005327668.tif 000005
【図４】
2005327668.tif 000006
【図５】
2005327668.tif 000007
【図６】
2005327668.tif 000008
【図７】
2005327668.tif 000009
【図８】
2005327668.tif 000010
【図９】
2005327668.tif 000011
【図１０】
2005327668.tif 000012
【図１１】
2005327668.tif 000013